(57)【特許請求の範囲】
【請求項１】
先端に鋭利な針先を有する針管と、
前記針管の一部が挿入された筒状体部と、前記針管の基端部が固定され、前記筒状体部の基端部に設けられたハブと、前記筒状体部の基端部よりも先端側に設けられた弾性変形部とを備える本体部と、
前記針管の少なくとも前記針先を覆う第１の位置と、前記針先が露出し、前記第１の位置よりも基端側の第２の位置との間を前記針管の軸方向に沿って移動し得るように、前記本体部に支持され、前記第１の位置にあるときに、前記弾性変形部と係合する係合部を備えるプロテクタと、
前記プロテクタが前記第１の位置から前記第２の位置に移動する際、前記係合部に当接して係合阻止機能を発揮し、前記係合部が前記弾性変形部と係合することなく前記弾性変形部を通過するのを許容する係合阻止部材と、
前記プロテクタを前記第２の位置から前記第１の位置に向かう方向に付勢する付勢手段とを有し、
前記プロテクタが押圧されて前記付勢手段の付勢力に抗して前記第１の位置から前記第２の位置に移動し、次に前記押圧が解除されたとき、前記プロテクタは、前記付勢手段の付勢力によって付勢されて前記第１の位置に移動し、その後、前記第１の位置の前記プロテクタが前記第２の位置に移動しようとすると、前記係合阻止部材の前記係合阻止機能が発揮されることなく、前記係合部が前記弾性変形部に係合することによって、前記プロテクタの前記第２の位置側への移動を阻止するよう構成されており、
前記係合阻止部材は、前記プロテクタに装着され、前記プロテクタが前記第１の位置から前記第２の位置に移動する際、前記プロテクタと共に移動して前記弾性変形部を通過し、前記プロテクタが前記第２の位置から前記第１の位置に移動する際、前記係合部が前記弾性変形部を通過する前に、前記係合阻止部材の前記係合部への当接が解除されて、前記係合阻止機能が発揮されなくなるよう構成されており、
前記係合阻止部材は、前記プロテクタが前記第２の位置から前記第１の位置に戻ったときに、前記プロテクタに装着されていることを特徴とする穿刺針組立体。
【請求項２】
先端に鋭利な針先を有する針管と、
前記針管の一部が挿入された筒状体部と、前記針管の基端部が固定され、前記筒状体部の基端部に設けられたハブと、前記筒状体部の基端部よりも先端側に設けられた弾性変形部とを備える本体部と、
前記針管の少なくとも前記針先を覆う第１の位置と、前記針先が露出し、前記第１の位置よりも基端側の第２の位置との間を前記針管の軸方向に沿って移動し得るように、前記本体部に支持され、前記第１の位置にあるときに、前記弾性変形部と係合する係合部を備えるプロテクタと、
前記プロテクタが前記第１の位置から前記第２の位置に移動する際、前記係合部に当接して係合阻止機能を発揮し、前記係合部が前記弾性変形部と係合することなく前記弾性変形部を通過するのを許容する係合阻止部材と、
前記プロテクタを前記第２の位置から前記第１の位置に向かう方向に付勢する付勢手段とを有し、
前記プロテクタが押圧されて前記付勢手段の付勢力に抗して前記第１の位置から前記第２の位置に移動し、次に前記押圧が解除されたとき、前記プロテクタは、前記付勢手段の付勢力によって付勢されて前記第１の位置に移動し、その後、前記第１の位置の前記プロテクタが前記第２の位置に移動しようとすると、前記係合阻止部材の前記係合阻止機能が発揮されることなく、前記係合部が前記弾性変形部に係合することによって、前記プロテクタの前記第２の位置側への移動を阻止するよう構成されており、
前記係合阻止部材は、前記プロテクタに装着され、前記プロテクタが前記第１の位置から前記第２の位置に移動する際、前記プロテクタと共に移動して前記弾性変形部を通過し、前記プロテクタが前記第２の位置から前記第１の位置に移動する際、前記係合部が前記弾性変形部を通過する前に、前記係合阻止部材の前記係合部への当接が解除されて、前記係合阻止機能が発揮されなくなるよう構成されており、
前記プロテクタが前記第２の位置から前記第１の位置に移動する際、前記係合阻止部材が前記プロテクタから離脱するのを阻止する離脱阻止手段を有することを特徴とする穿刺針組立体。
【請求項３】
請求項１または２に記載の穿刺針組立体と、
前記穿刺針組立体の前記ハブが装着される装着部を有する、薬液が予め充填された容器とを備えることを特徴とする薬液注入器具。
【発明の詳細な説明】
【技術分野】
【０００１】
本発明は、穿刺針組立体およびそれを備える薬液注入器具に関する。
【背景技術】
【０００２】
予め薬液を収納したプレフィルドシリンジが知られている。このプレフィルドシリンジは、先端に排出口が設けられた外筒と、この外筒内に挿入されたガスケットと、このガスケットに連結されたプランジャ（押子）とを備え、外筒とガスケットとで囲まれる空間に、薬液が収納されている。【０００３】
このプレフィルドシリンジを用いて薬液を例えば生体内に注入する際には、外筒の排出口に、中空針を有する針組立体を装着して、この装着状態で当該プレフィルドシリンジを用いる（例えば、特許文献１参照）。また、装着状態では、外筒の内部と中空針の内部とが連通する。特許文献１に記載の針組立体（保護スリーブ）は、中空針と、中空針の外周側に配置され、中空針の基端部を支持固定する筒状の外側部材（外側スリーブ部材）と、外側部材と中空針との間に外側部材と同心的に配置され、外側部材の軸方向に沿って移動可能な筒状の内側部材（内側スリーブ部材）と、内側部材を先端方向へ付勢するコイルバネとを有している。このような構成の針組立体では、内側部材は、外側部材に対してその軸方向に沿って移動することにより、針体をその針先まで覆う第１の状態と、針先を露出させる第２の状態とを取り得る。また、コイルバネの付勢力により、内側部材が第１の状態を維持することができる。【０００４】
しかしながら、特許文献１に記載の針組立体では、１度使用した後でも、コイルバネの付勢力に抗して、第１の状態の内側部材を基端方向に押圧しさえすれば、当該内側部材が第２の状態となるため、このような押圧力が不本意に内側部材に作用した場合でも当該内側部材が第２の状態となり、内側部材から露出した針先によって、手指等を誤って穿刺してしまうおそれがある。【０００５】
【特許文献１】特許第２８７２３１８号公報
【発明の開示】
【０００６】
本発明の目的は、針管の針先がプロテクタから不本意に露出するのを確実に防止することができる穿刺針組立体および薬液注入器具を提供することにある。
【００５３】
上記目的を達成するために、本発明は、
先端に鋭利な針先を有する針管と、
前記針管の一部が挿入された筒状体部と、前記針管の基端部が固定され、前記筒状体部の基端部に設けられたハブと、前記筒状体部の基端部よりも先端側に設けられた弾性変形部とを備える本体部と、
前記針管の少なくとも前記針先を覆う第１の位置と、前記針先が露出し、前記第１の位置よりも基端側の第２の位置との間を前記針管の軸方向に沿って移動し得るように、前記本体部に支持され、前記第１の位置にあるときに、前記弾性変形部と係合する係合部を備えるプロテクタと、
前記プロテクタが前記第１の位置から前記第２の位置に移動する際、前記係合部に当接して係合阻止機能を発揮し、前記係合部が前記弾性変形部と係合することなく前記弾性変形部を通過するのを許容する係合阻止部材と、
前記プロテクタを前記第２の位置から前記第１の位置に向かう方向に付勢する付勢手段とを有し、
前記プロテクタが押圧されて前記付勢手段の付勢力に抗して前記第１の位置から前記第２の位置に移動し、次に前記押圧が解除されたとき、前記プロテクタは、前記付勢手段の付勢力によって付勢されて前記第１の位置に移動し、その後、前記第１の位置の前記プロテクタが前記第２の位置に移動しようとすると、前記係合阻止部材の前記係合阻止機能が発揮されることなく、前記係合部が前記弾性変形部に係合することによって、前記プロテクタの前記第２の位置側への移動を阻止するよう構成されており、
前記係合阻止部材は、前記プロテクタに装着され、前記プロテクタが前記第１の位置から前記第２の位置に移動する際、前記プロテクタと共に移動して前記弾性変形部を通過し、前記プロテクタが前記第２の位置から前記第１の位置に移動する際、前記係合部が前記弾性変形部を通過する前に、前記係合阻止部材の前記係合部への当接が解除されて、前記係合阻止機能が発揮されなくなるよう構成されており、
前記係合阻止部材は、前記プロテクタが前記第２の位置から前記第１の位置に戻ったときに、前記プロテクタに装着されていることを特徴とする穿刺針組立体である。
また、上記目的を達成するために、本発明は、
先端に鋭利な針先を有する針管と、
前記針管の一部が挿入された筒状体部と、前記針管の基端部が固定され、前記筒状体部の基端部に設けられたハブと、前記筒状体部の基端部よりも先端側に設けられた弾性変形部とを備える本体部と、
前記針管の少なくとも前記針先を覆う第１の位置と、前記針先が露出し、前記第１の位置よりも基端側の第２の位置との間を前記針管の軸方向に沿って移動し得るように、前記本体部に支持され、前記第１の位置にあるときに、前記弾性変形部と係合する係合部を備えるプロテクタと、
前記プロテクタが前記第１の位置から前記第２の位置に移動する際、前記係合部に当接して係合阻止機能を発揮し、前記係合部が前記弾性変形部と係合することなく前記弾性変形部を通過するのを許容する係合阻止部材と、
前記プロテクタを前記第２の位置から前記第１の位置に向かう方向に付勢する付勢手段とを有し、
前記プロテクタが押圧されて前記付勢手段の付勢力に抗して前記第１の位置から前記第２の位置に移動し、次に前記押圧が解除されたとき、前記プロテクタは、前記付勢手段の付勢力によって付勢されて前記第１の位置に移動し、その後、前記第１の位置の前記プロテクタが前記第２の位置に移動しようとすると、前記係合阻止部材の前記係合阻止機能が発揮されることなく、前記係合部が前記弾性変形部に係合することによって、前記プロテクタの前記第２の位置側への移動を阻止するよう構成されており、
前記係合阻止部材は、前記プロテクタに装着され、前記プロテクタが前記第１の位置から前記第２の位置に移動する際、前記プロテクタと共に移動して前記弾性変形部を通過し、前記プロテクタが前記第２の位置から前記第１の位置に移動する際、前記係合部が前記弾性変形部を通過する前に、前記係合阻止部材の前記係合部への当接が解除されて、前記係合阻止機能が発揮されなくなるよう構成されており、
前記プロテクタが前記第２の位置から前記第１の位置に移動する際、前記係合阻止部材が前記プロテクタから離脱するのを阻止する離脱阻止手段を有することを特徴とする穿刺針組立体である。
【００５４】
また、上記目的を達成するために、本発明は、
本発明の穿刺針組立体と、
前記穿刺針組立体の前記ハブが装着される装着部を有する、薬液が予め充填された容器とを備えることを特徴とする薬液注入器具である。
【００５５】
これにより、針管の針先がプロテクタから不本意に露出するのを確実に防止することができる。
【図面の簡単な説明】
【００５６】
【図１】図１は、本発明の薬液注入器具（穿刺針組立体）の第１実施形態の使用状態を順に示す縦断面図である。
【図２】図２は、図１に示す薬液注入器具の主要部を拡大して示す縦断面図である。
【図３】図３は、図１に示す薬液注入器具の使用状態を順に示す縦断面図である。
【図４】図４は、図１に示す薬液注入器具の使用状態を順に示す縦断面図である。
【図５】図５は、図１に示す薬液注入器具の使用状態を順に示す縦断面図である。
【図６】図６は、図１に示す薬液注入器具の使用状態を順に示す縦断面図である。
【図７】図７は、図１に示す薬液注入器具の使用を途中で中止した場合の状態を示す縦断面図である。
【図８】図８は、本発明の薬液注入器具（穿刺針組立体）の第２実施形態の使用状態を順に示す縦断面図である。
【図９】図９は、図８に示す薬液注入器具の主要部を拡大して示す縦断面図である。
【図１０】図１０は、図８に示す薬液注入器具の使用状態を順に示す縦断面図である。
【図１１】図１１は、図８に示す薬液注入器具の使用状態を順に示す縦断面図である。
【図１２】図１２は、図８に示す薬液注入器具の使用状態を順に示す縦断面図である。
【図１３】図１３は、本発明の薬液注入器具（穿刺針組立体）の第３実施形態の未使用状態を示す縦断面斜視図である。
【図１４】図１４は、図１３に示す薬液注入器具を矢印Ａ側から見た図（側面図）である。
【図１５】図１５は、本発明の薬液注入器具（穿刺針組立体）の第３実施形態の使用済み状態を示す縦断面斜視図である。
【図１６】図１６は、図１５に示す薬液注入器具を矢印Ｂ側から見た図（側面図）である。
【発明を実施するための最良の形態】
【００５７】
以下、本発明の穿刺針組立体および薬液注入器具を添付図面に示す好適な実施形態に基づいて詳細に説明する。【００５８】
＜第１実施形態＞
図１は、本発明の薬液注入器具（穿刺針組立体）の第１実施形態の使用状態を順に示す縦断面図、図２は、図１に示す薬液注入器具の主要部を拡大して示す縦断面図、図３〜図６は、それぞれ、図１に示す薬液注入器具の使用状態を順に示す縦断面図、図７は、図１に示す薬液注入器具の使用を途中で中止した場合の状態を示す縦断面図である。なお、以下では、説明の都合上、図１〜図７中の左側を「基端」、右側を「先端」と言う。【００５９】
各図に示す薬液注入器具１は、薬液Ｑが予め充填されたシリンジ（容器）９と、シリンジ９に装着される穿刺針組立体１０とで構成され、薬液Ｑを生体に注入する（投与する）際に用いられるものである。なお、薬液注入器具１（シリンジ９）内に充填される薬液Ｑとしては、その使用目的に応じて適宜選択されるが、例えば、造血剤、ワクチン、ホルモン製剤、抗リウマチ剤、抗ガン剤、麻酔剤、血液凝固防止剤等、主に皮下注射および筋肉注射される薬液が挙げられる。【００６０】
以下、各部の構成について説明する。
シリンジ９は、有底筒状をなす外筒（シリンジ外筒）２と、外筒２内を摺動し得るガスケット３と、ガスケット３の基端部に連結された押し子（プランジャ）４とを有している。【００６１】
外筒２は、底部２１１を有する有底筒状の部材で構成されており、底部２１１から先端方向に向かって突出する口部（装着部）２１６が形成されている。この口部２１６には、穿刺針組立体１０の本体部６が装着される。口部２１６に穿刺針組立体１０を装着した状態で、押し子４を移動操作することにより、薬液Ｑが口部２１６を介して穿刺針組立体１０に流入する（図３参照）。また、口部２１６は、その外径が先端方向に向かって漸減しており、外周部２１７がテーパ状をなしている。すなわち、口部２１６は、その外周部２１７がルアーテーパを構成している。【００６２】
外筒２（外筒本体２１）の基端外周には、板状のフランジ２５が一体的に形成されている。押し子４を外筒２に対し相対的に移動操作する際などには、このフランジ２５に指を掛けて操作を行うことができる。【００６３】
外筒２および後述する押し子４の構成材料としては、それぞれ、例えば、環状ポリオレフィン、ポリ塩化ビニル、ポリエチレン、ポリプロピレン、ポリスチレン、ポリ−（４−メチルペンテン−１）、ポリカーボネート、アクリル樹脂、アクリルニトリル−ブタジエン−スチレン共重合体、ポリエチレンテレフタレート等のポリエステル、ブタジエン−スチレン共重合体、ポリアミド、ポリエーテルスルホン、ポリスルホンのような各種樹脂が挙げられるが、その中でも、成形が容易であるという点で、環状ポリオレフィン、ポリプロピレン、ポリエステル、ポリ−（４−メチルペンテン−１）、ポリエーテルスルホン、ポリスルホンのような樹脂が挙げられる。なお、外筒２の構成材料は、内部の視認性を確保するために、実質的に透明であるのが好ましい。【００６４】
また、外筒２の外周部２１３（外周面）には、目盛り（図示せず）が付されているのが好ましい。これにより、薬液注入器具１内に収納された薬液Ｑの液量を把握することができる。【００６５】
このような外筒２内には、弾性材料で構成されたガスケット３が収納されている。ガスケット３の外周部には、２つのリング状の突部３１、３２が軸方向に沿って、所定間隔をおいて形成されている。この突部３１、３２が外筒２の内周面２０に対し密着しつつ摺動することにより、気密性（液密性）を確実に保持するとともに、摺動性の向上を図ることができる。また、このガスケット３と外筒２とで囲まれる空間２４内には、薬液Ｑを充填することができる。【００６６】
ガスケット３の構成材料としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料（特に加硫処理したもの）や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、ポリエチレン、塩化ビニル樹脂のような比較的柔軟な樹脂材料等が挙げられ、これらのうちの１種または２種以上を混合して用いることができる。【００６７】
ガスケット３の基端部には、押し子４が接続されている。この押し子４は、ガスケット３を外筒２内でその軸方向に沿って移動操作するものである。なお、ガスケット３に対する押し子４の接続方法としては、特に限定されないが、例えば、螺合による方法、嵌合による方法等が挙げられる。【００６８】
この押し子４は、主に、横断面が十文字状の板片で構成される本体部４０を有し、その基端にはフランジ状（板状）の指当て部４２が本体部４０と一体的に形成されている。この指当て部４２を指等で押圧することにより押し子４を先端方向へ移動操作する。【００６９】
各図に示すように、シリンジ９の口部２１６に装着される穿刺針組立体１０は、針管（中空針）５と、針管５を支持するハブ（針ハブ）６１を有する本体部６と、針管５（針先５１）を覆い得るプロテクタ７と、プロテクタ７を付勢する付勢手段としてのコイルバネ（付勢部材）１１と、本体部６内に収納された係合阻止部材８とを備えている。【００７０】
針管５は、その先端に鋭利な針先５１が形成されている。この針先５１の形状は、特に限定されず、本実施形態では、針管５の軸線に対し所定角度傾斜した刃面を有する形状をなしている。【００７１】
針管５は、例えば、ステンレス鋼、アルミニウムまたはアルミニウム合金、チタンまたはチタン合金のような金属材料で構成されている。【００７２】
本体部６は、ハブ６１と、ハブ６１とプロテクタ７とを連結する筒状をなす外側部材（連結部材）６２と、外側部材６２の内側に配置された（収納された）内側部材６３とを有している。【００７３】
ハブ６１は、筒状をなす内筒部６４と、内筒部６４の外周側に設けられた筒状をなす外筒部６５と、内筒部６４と外筒部６５とを連結する連結部６６とで構成されている。【００７４】
内筒部６４は、その基端部がシリンジ９の口部２１６が挿入する部位である。内筒部６４の内周部６４１は、口部２１６の外周部２１７と同様のテーパ状をなしている。これにより、シリンジ９の口部２１６を内筒部６４に挿入した際に、口部２１６の外周部２１７と内筒部６４の内周部６４１とが密着する。よって、穿刺針組立体１０をシリンジ９に液密に装着する（接続する）ことができる。【００７５】
内筒部６４の先端部６４２は、その外径および内径が縮径している。この先端部６４２の内径は、針管５の外径と同等またはそれよりも若干小さく設定されている。これにより、先端部６４２に針管５の基端部が嵌合し、針管５を固定することができる。【００７６】
連結部６６は、内筒部６４の外周部の途中に突出形成されており、フランジ状をなしている。この連結部６６を介して、内筒部６４と外筒部６５とが連結されている。【００７７】
なお、ハブ６１は、内筒部６４、外筒部６５および連結部６６が一体的に形成されたものであってもよいし、これらがそれぞれ別体で構成され、別体同士を互いに連結固定したものであってもよい。【００７８】
外側部材６２は、その形状が筒状をなすものである。外側部材６２は、その基端部６２１がハブ６１の外筒部６５に外周側から嵌合することにより、ハブ６１に対して固定されている。なお、外側部材６２とハブ６１とを、例えば、融着や接着剤による接着等で固着（固定）してもよく、また、前記各方法を併用して固定してもよい。【００７９】
外側部材６２の先端の内周部には、その周方向に沿って１周に亘って、リブ（凸部）６２２が、針管５側（内側）に向かって突出形成されている。すなわち、リブ６２２は、針管５の中心軸（軸）を中心とする環状をなしている。このリブ６２２の内径は、後述するプロテクタ７のプロテクタ本体７１の外径よりも若干大きく設定されている。【００８０】
内側部材６３は、ハブ６１の外筒部６５と同様の筒状をなす筒状部６７と、筒状部６７の先端部に設けられた弾性変形する弾性変形部６８とを有している。【００８１】
筒状部６７は、内側部材６３をハブ６１や外側部材６２に対して固定する部位である。その固着（固定）方法としては、例えば、嵌合、融着、接着剤による接着等の方法、あるいはこれらを併用した方法が挙げられる。【００８２】
前記筒状部６７および外側部材６２により、本体部６の筒状体部が構成され、ハブ６１は、この筒状体部の基端部に固定され、針管５の途中から基端部までの部位（針管５の一部）は、筒状体部内に挿入されている。【００８３】
弾性変形部６８は、前記筒状体部の基端部よりも先端側に設けられている。すなわち、弾性変形部６８は、筒状部６７の先端から先端方向に向かって板状に突出形成された複数（本実施形態では２枚）の小片６８１で構成されている。これらの小片６８１は、外側部材６２（本体部６）の先端部に位置し、針管５の軸周りに間欠的に配置されている。本実施形態では、各小片６８１は、針管５を介して対向するように、すなわち、１８０°間隔（等間隔）で配置されている。なお、各小片６８１の先端部６８２は、それぞれ、外側部材６２のリブ６２２よりも基端側に位置している。【００８４】
また、図１および図２に示すように、各小片６８１は、それぞれ、一方の面が内側（針管５側）を向き、他方の面が外側（針管５と反対側）を向くように配置されている。また、各小片６８１は、それぞれ、その先端部６８２が根元部（基端部）６８３よりも針管５に接近する（近接する）ように、針管５の軸に対して傾斜している。【００８５】
各小片６８１がそれぞれこのような姿勢となっていることにより、各小片６８１は、それぞれ、先端部６８２が内側から外側に（図１および図２中の上下方向）向かって押圧されると、根元部６８３を支点として回動するように変形（弾性変形）する。そして、その押圧力を解除すると、各小片６８１は、それぞれ、それ自身の弾性（自己復元力）により、元の形状（状態）に復元する。【００８６】
このような小片６８１で構成された弾性変形部６８は、後述するプロテクタ７が後述する第１の位置にあるとき、特に、穿刺針組立体１０（薬液注入器具１）が未使用状態（図１および図２に示す状態）のときには、外力が付加されていない自然状態となっている。これにより、穿刺針組立体１０を長期間保存しても、弾性変形部６８（小片６８１）に不本意な変形癖（曲り癖）が付くのが確実に防止される。よって、弾性変形部６８の形状が維持され、当該弾性変形部６８が好適に弾性変形することができる。【００８７】
前述したように、本体部６を構成する、ハブ６１、外側部材６２および内側部材６３（弾性変形部６８）は、互いに別部材（別体）で構成されている。本実施形態では、本体部６は、これらの部材同士が互いに連結固定されたものであるが、一部材で構成されていてもよい。【００８８】
なお、本体部６、プロテクタ７および係合阻止部材８の構成材料としては、それぞれ、特に限定されないが、例えば、外筒２について説明した材料と同様のものを用いることができる。【００８９】
プロテクタ７は、針管５の軸方向に沿って移動し得るように、本体部６に支持されており、針管５の針先５１を覆う、図１、図２、図５〜図７に示す第１の位置と、その第１の位置から退避して、針先５１が露出する、図４に示す第２の位置との間を針管５の軸方向に沿って移動することができるようになっている。なお、第２の位置は、第１の位置よりも基端側にある。【００９０】
プロテクタ７は、筒状をなすプロテクタ本体７１と、プロテクタ本体７１の基端部７１３に設けられたリブ（突部）７２とを有している。【００９１】
プロテクタ本体７１は、先端および基端がそれぞれ開口した筒状をなすものである。図４に示すように、プロテクタ７が第２の位置にあるときには、プロテクタ本体７１の先端開口７１１から針先５１が突出する。これにより、針先５１で生体表面（目的部位）２００を穿刺することができる。そして、この状態（穿刺状態）で押し子４を押圧操作することにより、薬液Ｑを生体内に投与する（注入する）ことができる。【００９２】
リブ７２は、プロテクタ本体７１の基端部７１３の外周部に、その周方向に沿って１周に亘って、針管５と反対側（外側）に向かって突出形成されている。すなわち、リブ７２は、針管５の中心軸（軸）を中心とする環状をなしている。このリブ７２は、本体部６内に収納され、プロテクタ７が第１の位置にあるとき、外側部材６２のリブ６２２と、各小片６８１（弾性変形部６８）との間に位置している。そして、リブ７２の先端側の部位は、外側部材６２のリブ６２２に当接する当接部７２１を構成し、基端側の部位は、各小片６８１（弾性変形部６８）と係合する係合部７２２を構成している。【００９３】
当接部７２１の外径は、外側部材６２のリブ６２２の内径よりも大きく設定されている。これにより、当接部７２１は、外側部材６２のリブ６２２に当接することができる。すなわち、プロテクタ７が第１の位置にあるとき、当接部７２１は、外側部材６２のリブ６２２に当接する（図１、図２および図５参照）。これによって、プロテクタ７がそれ以上（第１の位置からさらに）先端方向に移動するのが防止され、よって、プロテクタ７が本体部６から脱落する（離脱する）のが防止（阻止）される。【００９４】
一方、係合部７２２は、外側のみでなく、さらに基端側に向かって突出している。すなわち、縦断面において、係合部７２２の基端部は、基端側を向いた角部（図示の構成では、鋭角の角部）を有している。また、係合部７２２の外径は、弾性変形部６８が自然状態のときの２枚の小片６８１の先端部６８２同士間隔よりも大きく設定されている。これにより、係合部７２２は、各小片６８１（弾性変形部６８）と係合することができる。すなわち、プロテクタ７が第１の位置から第２の位置に移動して再度第１の位置に戻ったとき（プロテクタ７が第１の位置にあるとき）、係合部７２２は、各小片６８１と係合する（図６参照）。これによって、プロテクタ７の第２の位置側への移動が防止（阻止）され、プロテクタ７の第２の位置への再移動を確実に防止することができる。よって、使用済みの針管５の針先５１がプロテクタ７から不本意に露出するのを確実に防止することができる。【００９５】
また、前述したように、各小片６８１は、針管５の軸周りに間欠的に配置されているため、係合部７２２との係合面積（接触面積）を比較的大きく確保することができ、これにより、係合部７２２と弾性変形部６８とがより確実に係合する。【００９６】
また、この係合部７２２（リブ７２）は、プロテクタ７が第２の位置から第１の位置に移動するときに、弾性変形部６８を外方に向かって押圧して弾性変形させる機能も有している。これにより、プロテクタ７が第２の位置から第１の位置に移動する際は、弾性変形部６８が弾性変形し、プロテクタ７のリブ７２、すなわち、係合部７２２は、各小片６８１（弾性変形部６８）を通過する（越える）ことができる。【００９７】
なお、リブ７２は、プロテクタ本体７１の各小片６８１に対応する位置、すなわち、各小片６８１（弾性変形部６８）と係合し得る位置に形成されていれば、１周に亘って形成されている必要はなく、例えば、環状をなす部分（環状部）の一部を切り欠いたような形状、例えば、Ｃ字状等をなしていてもよく、また、間欠的に、複数配置されていてもよい。【００９８】
本体部６の内側部材６３（弾性変形部６８）の内側には、係合阻止部材８がプロテクタ７に装着された状態で、針管５の軸方向に沿って移動可能に収納されている。この係合阻止部材８は、プロテクタ７が第１の位置から第２の位置に向かって移動する際（第１の位置から第２の位置に移動する際）、プロテクタ７と共に移動し、係合部７２２に当接して（係合部７２２を覆って）係合阻止機能を発揮し、係合部７２２が弾性変形部６８と係合することなく弾性変形部６８を通過する（越える）のを許容する。すなわち、係合阻止部材８は、プロテクタ７が第１の位置から第２の位置に移動する際、プロテクタ７と共に移動し、係合部７２２が弾性変形部６８と係合するのを阻止し、弾性変形部６８を弾性変形させる機能を有している。これにより、プロテクタ７が第１の位置から第２の位置に移動する際は、プロテクタ７のリブ７２、すなわち、係合部７２２は、各小片６８１の先端部６８２に係合することなく、その先端部６８２を通過することができる。【００９９】
係合阻止部材８は、筒状をなし、プロテクタ本体７１の基端部７１３、すなわち、プロテクタ本体７１の係合部７２２の基端側の外周部に、着脱自在に装着されている（係合阻止部材８にプロテクタ本体７１の基端部７１３が挿入されている）。【０１００】
係合阻止部材８がプロテクタ７（プロテクタ本体７１の基端部７１３）に装着された状態（以下、単に「装着状態」と言う）では、係合阻止部材８の先端（先端部８１）と、プロテクタ７の係合部７２２とが当接しているか、または、当接し得るようになっている。これにより、プロテクタ７が第１の位置から第２の位置に移動する際、係合阻止部材８は、確実に、そのプロテクタ７と共に移動して係合阻止機能を発揮することができる（プロテクタ７が係合阻止部材８ごと移動することができる）。【０１０１】
また、プロテクタ７が第１の位置にあるとき、装着状態で、係合阻止部材８の外周側に弾性変形部６８が位置しており、係合阻止部材８の途中、すなわち、係合阻止部材８の後述する最小外径部８２に、各小片６８１（弾性変形部６８）の先端部６８２がそれぞれ位置している。【０１０２】
係合阻止部材８の先端部８１は、係合阻止部材８がプロテクタと共に第１の位置から第２の位置に移動するときに、係合部７２２に当接してその係合部７２２が弾性変形部６８と係合するのを阻止し、弾性変形部６８を外方に向かって押圧して弾性変形させる部位である。【０１０３】
係合阻止部材８の先端の外径は、係合部７２２の外径（プロテクタ７の係合部７２２における外径）以上に設定されている。これにより、プロテクタ７が第１の位置から第２の位置に移動する際、係合部７２２が弾性変形部６８と係合するのを確実に阻止し、弾性変形部６８を、係合部７２２（リブ７２）が通過し得るように弾性変形させることができる。【０１０４】
また、係合阻止部材８の先端部８１の外径は、基端側から先端側に向かって漸増し、係合阻止部材８の先端部８１よりも基端側の部位の外径は、前記とは逆に、先端側から基端側に向かって漸増している。なお、係合阻止部材８の外径の増減が逆転する部位（境界部）が、係合阻止部材８の外径が最小の最小外径部８２となっている。このように、係合阻止部材８の先端部８１の外径が基端側から先端側に向かって漸増していることにより、プロテクタ７が第１の位置から第２の位置に移動する際、弾性変形部６８を円滑に弾性変形させることができる。【０１０５】
また、係合阻止部材８は、プロテクタ７と共に第１の位置から第２の位置に移動し、その後、プロテクタ７が第１の位置に向かって移動する際、すなわち、再度第１の位置に戻る際、プロテクタ７（プロテクタ本体７１の基端部７１３）から離脱するよう構成されており、プロテクタ７のみが再度第１の位置に戻るようになっている。これにより、前述したように、プロテクタ７が再度第１の位置に戻ると、係合部７２２が各小片６８１（弾性変形部６８）と係合し、これによって、プロテクタ７の第２の位置への再移動を確実に防止することができる。【０１０６】
また、装着状態で、係合阻止部材８の内周面とプロテクタ本体７１の基端部７１３の外周面との間に、微小な隙間が形成されている。これにより、係合阻止部材８をプロテクタ７から離脱させる際、すなわち、プロテクタ７が第２の位置から第１の位置に移動する際、係合阻止部材８が円滑かつ確実に離脱することができる。【０１０７】
また、係合阻止部材８の先端および基端の外径は、それぞれ、前記内側部材６３の筒状部６７の内径よりも若干小さく設定されており、これにより、プロテクタ７は、その係合阻止部材８を介して、筒状部６７（内側部材６３）によって、移動可能に支持される。一方、前述したように、外側部材６２のリブ６２２の内径は、プロテクタ本体７１の外径よりも若干大きく設定されており、これにより、プロテクタ７は、リブ６２２（外側部材６２）によって、移動可能に支持される。したがって、内側部材６３の筒状部６７および外側部材６２のリブ６２２は、それぞれ、プロテクタ７が第１の位置から第２の位置に移動する際（第１の位置と第２の位置との間を移動する際）、その移動するプロテクタ７を案内するガイド部として機能する。これにより、プロテクタ７が安定して移動することができる。【０１０８】
なお、図示の構成では、装着状態で、針管５の軸方向における、係合阻止部材８の基端の位置と、プロテクタ７の基端の位置とが、一致しているが、これに限らず、係合阻止部材８の基端とプロテクタ７の基端の一方が他方よりも基端側に位置していてもよい。【０１０９】
本体部６とプロテクタ７との間には、コイルバネ１１が配置されている。このコイルバネ１１は、その先端１１１がプロテクタ本体７１（プロテクタ７）の内径が急峻に変化した段差部７１２（プロテクタ７側）に当接している。また、コイルバネ１１の基端１１２は、後述する座屈防止部材１２の基端外周に形成されているフランジ１２１（本体部６側）に当接している。なお、このフランジ１２１は、内筒部６４の先端部に形成された段差部６４３に当接している。【０１１０】
コイルバネ１１がこのように配置されていることにより、当該コイルバネ１１によって、プロテクタ７を先端方向、すなわち、第２の位置から第１の位置に向かって確実に付勢することができる。【０１１１】
なお、コイルバネ１１の構成材料としては、特に限定されず、例えば、ステンレス鋼等のような金属材料を用いることができる。【０１１２】
また、本体部６は、その内部に、コイルバネ１１を挿通する座屈防止部材１２を有している。この座屈防止部材１２は、管状をなしており、その基端部がハブ６１の内筒部６４の先端部６４２に嵌合している。座屈防止部材１２は、コイルバネ１１が第２の位置に変位したプロテクタ７によって押圧されて収縮した際に（図４参照）、当該コイルバネ１１を内側から支持して、コイルバネ１１に座屈が生じるのを防止するものである。【０１１３】
次に、薬液注入器具１の使用状態（作用）について説明する。
［１］  まず、生体に投与するのに十分な液量の薬液Ｑが予め充填された薬液注入器具１を用意する（図１参照）。この薬液注入器具１は、未使用状態のものであり、基端部７１３に係合阻止部材８が装着されたプロテクタ７が第１の位置にある。これにより、針管５がその針先５１まで覆われ、よって、針先５１による誤穿刺が確実に防止されている。【０１１４】
［２］  次に、外筒２を把持して、図１に示す状態からプロテクタ７の先端開口７１１を、コイルバネ１１の付勢力に抗して、生体表面２００の穿刺部位（目的部位）に押し付けて、プロテクタ７を第２の位置へ移動させる（図３および図４参照）。これにより、プロテクタ７に覆われていた針管５の針先５１が、当該プロテクタ７の先端開口７１１を介して、先端方向に突出して、生体表面２００を穿刺する（図４参照）。【０１１５】
また、プロテクタ７および係合阻止部材８が第２の位置に向かって移動する際、係合阻止部材８の先端部８１は、プロテクタ７の係合部７２２（リブ７２）に当接しつつ、内側部材６３の各小片６８１の先端部６８２をそれぞれ外方に向かって押圧する。この押圧により、各小片６８１は、それぞれ、前述したように弾性変形する（弾性変形部６８が押し広げられる）。これにより、係合阻止部材８の先端部８１が各小片６８１の先端部６８２を越え、プロテクタ７の係合部７２２（リブ７２）は、各小片６８１の先端部６８２に係合することなく、その先端部６８２を越える。そして、リブ７２が各小片６８１を越えると、当該各小片６８１に対する押圧力が解除されるため、これらの小片６８１は、それ自身の弾性により元の形状（状態）に復元する。このようにして、係合阻止部材８の係合阻止機能が発揮され、係合部７２２（リブ７２）が各小片６８１（弾性変形部６８）に係合する機能が無力化され、リブ７２および係合阻止部材８は、各小片６８１（弾性変形部６８）を通過する。【０１１６】
また、プロテクタ７の第２の位置への移動は、プロテクタ７の基端および係合阻止部材８の基端がハブ６１の連結部６６に当接する（移動限界）まで行われる（図４参照）。これにより、プロテクタ７が第２の位置に確実に位置したのを確認することができ、よって、プロテクタ７から針先５１が突出することとなる。【０１１７】
［３］  次に、針管５の針先５１が生体表面２００を穿刺した状態のまま、外筒２を把持していた手の人差し指および中指を外筒２のフランジ２５の縁部に掛け、親指を押し子４の指当て部４２に掛ける。そして、親指で指当て部４２を先端方向へ押圧する（図４参照）。この操作により、ガスケット３が先端方向へ移動して、よって、外筒２の空間２４内の薬液Ｑは、外筒２の口部２１６、本体部６の内筒部６４、針管５を順に通過して、生体に対して確実に投与される（注入される）。【０１１８】
［４］  薬液Ｑの投与後、薬液注入器具１（プロテクタ７）を生体表面２００から離間させる。このとき、生体表面２００からのプロテクタ７に対する押圧が解除され、プロテクタ７は、コイルバネ１１の復元力（付勢力）により、先端方向へ押圧されて（付勢されて）、第１の位置に向かって移動し、第１の位置へ戻る（図５参照）。これにより、針管５は、針先５１まで再度覆われる。よって、針先５１に付着した血液の飛散や、血液が付着した針先５１による誤穿刺が防止され、その血液による感染を防止することができる。【０１１９】
また、プロテクタ７が第１の位置に向かって移動する際（第１の位置に戻る際）、係合阻止部材８は、ハブ６１の外筒部６５との間の摩擦力で、プロテクタ本体７１の基端部７１３から離脱し、本体部６の基端部に残り（留まり）、プロテクタ７のみが、第１の位置に向かって移動し、第１の位置へ戻る。すなわち、プロテクタ７が第１の位置に戻る際、係合部７２２（リブ７２）が各小片６８１（弾性変形部６８）を通過する前に、係合阻止部材８の係合部７２２（リブ７２）への当接が解除され、その係合阻止部材８は、各小片６８１よりも基端側に留まり、係合阻止部材８の係合阻止機能が発揮されなくなる。これにより、係合阻止部材８の係合阻止機能が再び発揮されることはない。【０１２０】
また、プロテクタ７が第１の位置へ戻る際、プロテクタ７の係合部７２２（リブ７２）は、内側部材６３の各小片６８１をそれぞれ外方に向かって押圧する。この押圧により、各小片６８１は、それぞれ、前述したように弾性変形し（弾性変形部６８が押し広げられる）、これにより、プロテクタ７のリブ７２は、各小片６８１の先端部６８２を越える。そして、リブ７２が各小片６８１を越えると、当該各小片６８１に対する押圧力が解除されるため、これらの小片６８１は、それ自身の弾性により元の形状（状態）に復元する。【０１２１】
［５］  図５に示す状態から、プロテクタ７に基端方向へ向かう押圧力が作用した場合、プロテクタ７は、第２の位置に移動しようとするが、プロテクタ７の係合部７２２が各小片６８１の先端部６８２に係合し、これにより、プロテクタ７の第２の位置側への移動が禁止（阻止）される（図６参照）。これにより、使用済の薬液注入器具１を誤って使用する、すなわち、針管５を突出させて、当該針管５を介して薬液Ｑを生体に投与するのを確実に防止することができる。【０１２２】
［６］また、薬液注入器具１の使用を途中で中止した場合、例えば、図３に示す状態のとき、薬液注入器具１（プロテクタ７）を生体表面２００から離間させると、生体表面２００からのプロテクタ７に対する押圧が解除される。これにより、前記と同様にして、係合阻止部材８は、プロテクタ本体７１の基端部７１３から離脱し、プロテクタ７のみが、第１の位置へ戻り、この状態から、プロテクタ７に基端方向へ向かう押圧力が作用した場合、プロテクタ７の係合部７２２が各小片６８１の先端部６８２に係合し、これによって、プロテクタ７の第２の位置側への移動が禁止（阻止）される（図７参照）。これにより、使用済の薬液注入器具１を誤って使用する、すなわち、針管５を突出させて、当該針管５を介して薬液Ｑを生体に投与するのを確実に防止することができる。【０１２３】
＜第２実施形態＞
図８は、本発明の薬液注入器具（穿刺針組立体）の第２実施形態の使用状態を順に示す縦断面図、図９は、図８に示す薬液注入器具の主要部を拡大して示す縦断面図、図１０〜図１２は、それぞれ、図８に示す薬液注入器具の使用状態を順に示す縦断面図である。なお、以下では、説明の都合上、図８〜図１２中の左側を「基端」、右側を「先端」と言う。【０１２４】
以下、第２実施形態について説明するが、前述した第１実施形態との相違点を中心に説明し、同様の事項はその説明を省略する。【０１２５】
各図に示す第２実施形態の薬液注入器具１（穿刺針組立体１０）では、係合阻止部材８は、プロテクタ７のプロテクタ本体７１の基端部７１３、すなわち、プロテクタ本体７１の係合部７２２の基端側の外周部に、プロテクタ本体７１に対して移動可能であるが、離脱不能に装着されている。【０１２６】
図８および図９に示すように、係合阻止部材８の先端部８１の内周部には、リブ（突部）８３が形成されている。リブ８３は、係合阻止部材８の周方向に沿って１周に亘って、針管５側（内側）に向かって突出形成されている。すなわち、リブ８３は、針管５の中心軸（軸）を中心とする環状をなしている。【０１２７】
一方、プロテクタ本体７１の基端（基端部７１３）の外周部には、前記係合阻止部材８のリブ８３と係合し得るリブ（突部）７３が形成されている。リブ７３は、プロテクタ本体７１の周方向に沿って１周に亘って、針管５と反対側（外側）に向かって突出形成されている。すなわち、リブ７３は、針管５の中心軸（軸）を中心とする環状をなしている。【０１２８】
これらリブ７３および８３により、プロテクタ７が第２の位置から第１の位置に移動する際、係合阻止部材８がプロテクタ本体の基端部７１３（プロテクタ７）から離脱するのを阻止する離脱阻止手段が構成される。【０１２９】
また、係合阻止部材８の基端部の外周部の外径は、先端側から基端側に向かって漸減している。これにより、穿刺針組立体１０の組み立てを容易に行うことができる。【０１３０】
また、内側部材６３の各小片６８１（弾性変形部６８）は、それぞれ、その途中から、先端部６８２が根元部（基端部）６８３よりも針管５に接近する（近接する）ように、針管５の軸に対して傾斜している。そして、各小片６８１の途中の部位には、それぞれ、係合阻止部材８の先端部８１が当接し得る段差部６８４が形成されている。各小片６８１の段差部６８４は、プロテクタ７が第２の位置から第１の位置に移動する際、係合阻止部材８の係合部７２２（リブ７２）への当接を確実に解除するための補助を行う補助手段の機能を有している。【０１３１】
薬液Ｑの投与後、薬液注入器具１（プロテクタ７）を生体表面２００から離間させると、第１実施形態と同様に、プロテクタ７は、コイルバネ１１の復元力（付勢力）により、先端方向へ押圧されて（付勢されて）、第１の位置に向かって移動し、第１の位置へ戻る。【０１３２】
但し、この薬液注入器具１（穿刺針組立体１０）では、プロテクタ７が第１の位置から第１の位置に向かって移動する際（第１の位置に戻る際）、まずは、係合阻止部材８は、ハブ６１の外筒部６５との間の摩擦力で、本体部６の基端部に残り、プロテクタ７のみが第１の位置に向かって移動し、係合阻止部材８の係合部７２２（リブ７２）への当接が解除され、途中で、係合阻止部材８のリブ８３とプロテクタ７のリブ７３とが係合し、これにより、係合阻止部材８は、プロテクタと共に、第１の位置に向かって移動する。すなわち、係合阻止部材８がプロテクタ本体７１の基端部７１３から離脱するのが阻止される。【０１３３】
また、プロテクタ７は、その基端部７１３に係合阻止部材８が装着された状態で、第２の位置から第１の位置に移動するので、その際、プロテクタ本体７１のリブ７２よりも先端側の部位が外側部材６２のリブ６２２で支持されるとともに、基端部７１３が係合阻止部材８を介して内側部材６３の筒状部６７で支持され、これにより、プロテクタ７が安定して移動することができる。【０１３４】
このようにして、図１０に示すように、プロテクタ７は、第１の位置へ戻り、係合阻止部材８は、プロテクタ本体７１の基端部７１３に装着された状態で、各小片６８１（弾性変形部６８）よりも基端側に留まる。これにより、係合阻止部材８の係合阻止機能が再び発揮されることはない。【０１３５】
ここで、プロテクタ７が第１の位置に戻る際、係合阻止部材８が、例えば係合阻止部材８の係合部７２２に当接したままの状態で、プロテクタと共に、第１の位置に向かって移動した場合は、図１１に示すように、係合阻止部材８の先端部８１が各小片６８１の段差部６８４に当接し、これにより、係合阻止部材８は、その位置で停止し、プロテクタ７のみが第１の位置に向かって移動する。そして、プロテクタ７は、第１の位置へ戻り、係合阻止部材８は、プロテクタ本体７１の基端部７１３に装着された状態で、各小片６８１よりも基端側に留まる。これにより、係合阻止部材８の係合阻止機能が再び発揮されることはない。【０１３６】
図１０または図１１に示す状態から、プロテクタ７に基端方向へ向かう押圧力が作用した場合、プロテクタ７は、第２の位置に移動しようとするが、プロテクタ７の係合部７２２が各小片６８１の先端部６８２に係合し、これにより、プロテクタ７の第２の位置側への移動が禁止（阻止）される（図１２参照）。これにより、使用済の薬液注入器具１を誤って使用する、すなわち、針管５を突出させて、当該針管５を介して薬液Ｑを生体に投与するのを確実に防止することができる。【０１３７】
また、前述したように、第１の位置に戻ったプロテクタ７は、プロテクタ本体７１のリブ７２よりも先端側の部位が外側部材６２のリブ６２２で支持され、基端部７１３が係合阻止部材８を介して内側部材６３の筒状部６７で支持されているので、そのグラツキを確実に防止することができる。【０１３８】
＜第３実施形態＞
図１３は、本発明の薬液注入器具（穿刺針組立体）の第３実施形態の未使用状態を示す縦断面斜視図、図１４は、図１３に示す薬液注入器具を矢印Ａ側から見た図（側面図）、図１５は、本発明の薬液注入器具（穿刺針組立体）の第３実施形態の使用済み状態を示す縦断面斜視図、図１６は、図１５に示す薬液注入器具を矢印Ｂ側から見た図（側面図）である。なお、以下では、説明の都合上、図１３〜図１６中の上側を「先端」、下側を「基端」と言う。【０１３９】
以下、これらの図を参照して本発明の穿刺針組立体および薬液注入器具の第３実施形態について説明するが、前述した実施形態との相違点を中心に説明し、同様の事項はその説明を省略する。【０１４０】
本実施形態は、本体部の外側部材の構成が異なること以外は前記第２実施形態と同様である。【０１４１】
図１３〜図１６に示す穿刺針組立体１０では、本体部６の外側部材６２に、その軸を介して対向する位置に、壁部（管壁）を厚さ方向に貫通する窓部（貫通孔）６２５が形成されている。窓部６２５は、１つ以上あればよく、本実施形態では２つの窓部６２５を有する。各窓部６２５は、それぞれ、その形状が本体部６の長手方向に沿った長尺状をなしており、本実施形態では、その長手方向に関し、先端２６５ａが係合阻止部材８の先端と同じ位置、基端２６５ｂが小片６８１の段差部６８４と同じ位置となるように形成されている。【０１４２】
なお、先端２６５ａ、基端２６５ｂは、それぞれ、前述した位置よりも基端側にあってもよい。例えば、基端２６５ｂが小片６８１の段差部６８４の位置よりも基端側にあるときは、窓部６２５の小片６８１の段差部６８４と同じ位置に目印を付与するのが好ましい。【０１４３】
また、小片６８１は、透明であることが好ましく、プロテクタ７と係合阻止部材８とは、互いに異なる色となっていることが好ましい。本実施形態では、プロテクタ７を白色、係合阻止部材８を緑色とし、小片６８１を含む内側部材６３全体が透明になっている。また、図１４中では、係合阻止部材８は、網掛けのハッチング（クロスハッチング）で示されている。【０１４４】
未使用状態である図１４（図１３についても同様）に示す穿刺針組立体１０では、各窓部６２５を介して（小片６８１が存在する部分では、透明な小片６８１を透過して）、プロテクタ７に装着されている緑色の係合阻止部材８を視認することができる。これにより、穿刺針組立体１０が未使用状態のものであることを確認することができる。【０１４５】
そして、前記第２実施形態の穿刺針組立体１０と同様に使用されて、使用済み状態となった図１５に示す穿刺針組立体１０では、係合阻止部材８のプロテクタ７に対する位置がズレて、係合阻止部材８の先端部８１が小片６８１の段差部６８４に当接する。この状態では、図１６に示すように、各窓部６２５からは、プロテクタ７（基端部７１３）の白色を視認することができる。これにより、穿刺針組立体１０が使用済み状態のものであることを確認することができる。【０１４６】
このような構成により、各窓部６２５を介して視認される色（部材）を確認することができ、よって、穿刺針組立体１０が未使用のものであるかまたは使用済みのものであるかを確実に識別することができる。【０１４７】
なお、各窓部６２５は、それぞれ、外側部材６２に形成された貫通孔で構成された部分に限定されず、例えば、外側部材６２に形成された、透明性を有する部分であってもよい。【０１４８】
以上、本発明の穿刺針組立体および薬液注入器具を図示の実施形態について説明したが、本発明は、これに限定されるものではなく、穿刺針組立体および薬液注入器具を構成する各部は、同様の機能を発揮し得る任意の構成のものと置換することができる。また、任意の構成物が付加されていてもよい。【０１４９】
また、本発明は、前記各実施形態のうちの、任意の２以上の構成（特徴）を組み合わせたものであってもよい。【０１５０】
また、本発明では、穿刺針組立体は、注射針として用いられるのに限定されず、例えば、採血針としても用いることができる。
【産業上の利用可能性】
【０１５１】
本発明の穿刺針組立体は、先端に鋭利な針先を有する針管と、前記針管の一部が挿入された筒状体部と、前記針管の基端部が固定され、前記筒状体部の基端部に設けられたハブと、前記筒状体部の基端部よりも先端側に設けられた弾性変形部とを備える本体部と、前記針管の少なくとも前記針先を覆う第１の位置と、前記針先が露出し、前記第１の位置よりも基端側の第２の位置との間を前記針管の軸方向に沿って移動し得るように、前記本体部に支持され、前記第１の位置にあるときに、前記弾性変形部と係合する係合部を備えるプロテクタと、前記プロテクタが前記第１の位置から前記第２の位置に移動する際、前記係合部に当接して係合阻止機能を発揮し、前記係合部が前記弾性変形部と係合することなく前記弾性変形部を通過するのを許容する係合阻止部材と、前記プロテクタを前記第２の位置から前記第１の位置に向かう方向に付勢する付勢手段とを有し、前記プロテクタが押圧されて前記付勢手段の付勢力に抗して前記第１の位置から前記第２の位置に移動し、次に前記押圧が解除されたとき、前記プロテクタは、前記付勢手段の付勢力によって付勢されて前記第１の位置に移動し、その後、前記第１の位置の前記プロテクタが前記第２の位置に移動しようとすると、前記係合阻止部材の前記係合阻止機能が発揮されることなく、前記係合部が前記弾性変形部に係合することによって、前記プロテクタの前記第２の位置側への移動を阻止するよう構成されている。そのため、針管の針先がプロテクタから不本意に露出するのを確実に防止することができる。従って、本発明の穿刺針組立体は、産業上の利用可能性を有する。
【図１】
0005591105.tif 000002
【図２】
0005591105.tif 000003
【図３】
0005591105.tif 000004
【図４】
0005591105.tif 000005
【図５】
0005591105.tif 000006
【図６】
0005591105.tif 000007
【図７】
0005591105.tif 000008
【図８】
0005591105.tif 000009
【図９】
0005591105.tif 000010
【図１０】
0005591105.tif 000011
【図１１】
0005591105.tif 000012
【図１２】
0005591105.tif 000013
【図１３】
0005591105.tif 000014
【図１４】
0005591105.tif 000015
【図１５】
0005591105.tif 000016
【図１６】
0005591105.tif 000017